(57)【要約】  装置は、磁気共鳴撮像ボアの遠端に配置された巻き取りスプールを含む。前記巻き取りスプールは、光ファイバをリリースし、前記光ファイバを後退させるように構成される。前記装置は、前記光ファイバの終端に接続するように構成されるドングルをも有する。
2019512314.tif 000002
【特許請求の範囲】
【請求項１】
磁気共鳴撮像ボアの遠端に配置され、光ファイバをリリースし、前記光ファイバを後退させる巻き取りスプールと、
前記光ファイバの終端に接続されるドングルと、
を有する装置。
【請求項２】
前記ドングルが、前記ボア内に移動すると、前記巻き取りスプールが、前記光ファイバを後退させ、前記光ファイバに対する損傷を防ぐのに十分に大きい半径を持つ円形構成で前記光ファイバを格納する、請求項１に記載の装置。
【請求項３】
前記ドングルが、前記ボアの近端の外側である場合、前記光ファイバが、最大長までリリースされる、請求項１に記載の装置。
【請求項４】
前記ドングルが、前記ボアの近端から最大の距離に、前記ボア内に延在する場合、前記光ファイバが、最小長に後退される、請求項２に記載の装置。
【請求項５】
前記ドングルが、患者上に配置された無線周波数（ＲＦ）コイルに接続する、請求項１に記載の装置。
【請求項６】
前記ドングルは、
前記ドングルが電気的にかつ機械的に接続される装置に直流（ＤＣ）電力を提供するバッテリであって、取り外され、他のバッテリにより交換されるように構成される当該バッテリと、
前記バッテリにより生成された熱を散逸するヒートシンクであって、取り外され、他のヒートシンクにより交換されるように構成される当該ヒートシンクと、
を有する、請求項５に記載の装置。
【請求項７】
前記ドングルが、前記ＲＦコイルからデータを受信し、前記ドングルから前記光ファイバを通って前記データを送信する送受信器を有する、請求項５に記載の装置。
【請求項８】
前記ドングルが、メモリ装置を有し、前記メモリ装置が、前記ドングルから取り外され、他のメモリ装置と交換されるように構成される、請求項７に記載の装置。
【請求項９】
前記巻き取りスプールに接続され、前記光ファイバを後退させるように一方向に、及び前記光ファイバをリリースするように他の方向に前記巻き取りスプールを回転させるアクチュエータを有する、請求項１に記載の装置。
【請求項１０】
前記アクチュエータが、サーボモータを有する、請求項９に記載の装置。
【請求項１１】
前記磁気共鳴撮像ボアの内外への台の移動と協調して前記巻き取りスプールからの前記光ファイバのリリース及び後退を調整するように制御コマンドを提供するコントローラ、
を有する、請求項９に記載の装置。
【請求項１２】
前記リリース及び後退の調整が、前記台に向けて下降することを防ぐのに十分であるが、前記光ファイバの破壊が生じるほど強く張りすぎない張力に維持する、請求項１１に記載の装置。
【発明の詳細な説明】
【技術分野】
【０００１】
本発明は、磁気共鳴撮像システムにおいて光ファイバを操作する装置に関する。
【背景技術】
【０００２】
磁気共鳴撮像（ＭＲＩ）システムは、しばしば、検査されるべき全身を撮像するためのＭＲ撮像システムの患者検査空間上に配置されたボディコイルと、検査されるべき局所的ゾーン又は領域上に直接的に配置されたＲＦ／ＭＲ又は局所コイルとを使用する。
【０００３】
無線周波数（ＲＦ）コイルは、サンプリング及びデジタル化されるアナログ信号を取得する。一部の現代のコイルにおいて、デジタル化は、局所的に、例えばコイルハウジング内で、生じる。
【０００４】
既知のシステムにおいて、電気（ＤＣ）パワー、及びしばしば信号は、前記システムに接続される電気ケーブルにより前記局所コイルに及びから提供される。前記ケーブルは、しばしば、前記局所コイルからのデータの送信のために同軸ケーブルのような信号伝送ラインを含む。これらのケーブルは、扱いにくく、ＭＲＩ装置のボア内に挿入される場合にかなりの遮蔽を要求する。更に、ＲＦケーブルは、過剰に熱くなり、火傷を引き起こす可能性がある。
【発明の概要】
【発明が解決しようとする課題】
【０００５】
したがって、必要とされるのは、少なくとも上記の欠点を克服する装置である。
【課題を解決するための手段】
【０００６】
代表的な実施例によると、装置は、磁気共鳴撮像ボアの遠端に配置された巻き取りスプールを有する。前記巻き取りスプールは、光ファイバをリリースする、及び前記光ファイバを後退させるように構成される。前記装置は、前記光ファイバの終端に接続されるように構成されるドングルをも有する。
【０００７】
前記代表的な実施例は、添付の図面とともに読まれる場合に以下の詳細な記載から最良に理解される。様々なフィーチャが必ずしも正しい縮尺で描かれていないことが、強調される。実際に、寸法は、議論の明確性のために任意に増減されうる。適用可能かつ実際的であれば、同様の参照番号は、同様の要素を指す。
【図面の簡単な説明】
【０００８】
【図１】代表的な実施例によるＭＲＩシステムの側面図である。
【図２】代表的な実施例による装置の前面図である。
【図３Ａ】代表的な実施例によるＭＲＩシステムの側面図である。
【図３Ｂ】図３Ａに示されるＭＲＩシステムの斜視図である。
【図４】代表的な実施例による接続されたドングルを持つＲＦコイルの上面図である。
【図５】代表的な実施例によるＭＲＩシステムの斜視図である。
【発明を実施するための形態】
【０００９】
以下の詳細な記載において、限定ではなく説明の目的で、特定の細部を開示する代表的な実施例が、本教示の徹底的な理解を提供するために記載される。しかしながら、個々に開示された細部から逸脱する本教示による他の実施例が、添付の請求項の範囲内にとどまることは、本開示の利益を得る当業者に明らかであろう。更に、周知の装置及び方法の記載は、代表的な実施例の記載を曖昧にしないように省略されうる。このような方法及び装置は、明らかに本教示の範囲内である。
【００１０】
ここで使用される用語は、特定の実施例を記載する目的のみであり、限定することを意図されないと理解されるべきである。いかなる規定された用語も、規定された用語の技術的及び科学的な意味に加えて、本教示の技術分野において一般的に理解及び受容される。
【００１１】
明細書及び添付の請求項において使用されるように、用語「ａ」、「ａｎ」及び「ｔｈｅ」は、他の形で文脈が明確に指示しない限り、単数及び複数の両方の指示対象を含む。したがって、例えば、「装置」は、１つの装置及び複数の装置を含む。
【００１２】
ここで使用されるように、２以上の部分又は部品が「接続」されるという提示は、前記部分が、直接的に又は間接的に、すなわち、リンクが生じる限り、１以上の中間部分又は部品を介して、のいずれかで接合される又は一緒に動作することを意味すべきである。
【００１３】
方向の用語／語句及び相対的な用語／語句は、添付の図面に示されるように、様々な要素の互いに対する関係を記述するのに使用されうる。これらの用語／語句は、図面に描かれた向きに加えて装置及び／又は要素の異なる向きを包含することを意図される。
【００１４】
「上」、「下」、「上部」、「底部」、「上側」及び「下側」のような相対的な用語は、添付の図面に示されるように、様々な要素の互いに対する関係を記述するのに使用されうる。これらの相対的な用語は、図面に描かれた向きに加えて装置及び／又は要素の異なる向きを包含することを意図される。例えば、装置が、図面における図に対して反転された場合、例えば、他の要素の「上」と記述される要素は、当該要素の「下」である。同様に、装置が、図面における図に対して９０°だけ回転された場合、他の要素の「上」又は「下」と記述された要素は、他の要素に「隣接」しており、ここで「隣接」は、他の要素の隣にあるか、又は前記要素間に１以上の層、材料、構造等を持つかのいずれかを意味する。
【００１５】
明細書及び添付の請求項において使用されるように、通常の意味に加えて、用語「実質的」又は「実質的に」は、許容可能な制限又は度合を持つことを意味する。例えば、「実質的に相殺される」は、当業者が、相殺を許容可能であると見なすことを意味する。
【００１６】
図１は、代表的な実施例によるＭＲＩシステム１００の側面図である。ＭＲＩシステム１００は、患者１０５を受けるように中を通って延在するボアを持つ磁気構造１０１を有する。ボア１０２は、近端１０３及び遠端１０４を持つ。当業者の視野内の様々な電気及び電子コンポーネントを含む、ＭＲ構造の他のコンポーネントは、本教示により考えられるが、しばしば、本教示を曖昧にすることを避けるために記載されない。
【００１７】
ドングル１０６は、装置１０８に接続されているのが図示され、これは、磁気構造１０１の外側表面１０９に取り付けられる。以下に更に完全に記載されるように、前記ドングルが前記装置に接続される場合、使用済みバッテリ（図１Ａに図示されない）又は使用済みヒートシンク（図１Ａに図示されない）は、それぞれ新しいバッテリ及びヒートシンクと交換されることができる。
【００１８】
光ファイバ１１０は、一端においてドングル１０６に接続され、ボア１０２を通って延在し、巻き取りスプール１１１の周りに配置される。以下に更に完全に記載されるように、巻き取りスプール１１１は、ドングル１０６が患者１０５とともに移動し、ボア１０２内に延ばされるので、ドングル１０６まで必要とされる長さまで延ばすように、光ファイバ１１０をリリースし、後退する。特に、巻き取りスプール１１１は、ＭＲＩシステム１００のコンポーネントとの光ファイバ１１０の絡まりを避けるために光ファイバ１１０において実質的に一定の張力を維持する。最終的に、及び以下に更に完全に記載されるように、ドングル１０６が近端１０３の外側にある場合（例えば、ドングル１０６が以下に記載されるように前記患者上に配置される場合）、前記光ファイバは、最大長まで延ばされる。これに反して、前記患者が、遠端１０４に向かって最大の程度までボア１０２に入る場合、光ファイバ１１０は、巻き取りスプール１１１により後退され、最小長に延ばされる。
【００１９】
ＭＲＩシステム１００は、患者１０５が静止する台１１２をも有する。光ファイバガイド１１３は、台１１２に取り付けられ、台１１２の上の所望の高さに光ファイバ１１０を維持する。台１１２は、矢印により示されるように前記ボアの内外に移動するように構成される。以下に更に完全に記載されるように、代表的な実施例によると、台１１２は、光ファイバ１１０における所望の度合いの張力を維持するように巻き取りスプール１１１と協調して移動する。
【００２０】
ＭＲＩシステム１００は、プロセッサ１１６及びメモリ１１７を有するコントローラ１１５をも有する。以下に更に完全に記載されるように、コントローラ１１５は、一般に、光ファイバ１１０が、前記患者に向かって下降しすぎることを防ぐのに十分であるが、光ファイバ１１０の破壊が生じる可能性があるほど強く張りすぎない張力を維持するように、台１１２と協調して巻き取りスプール１１１からの光ファイバ１１０の移動（すなわち、リリース及び後退）を調整する１以上の制御コマンドを提供するように構成される。この調整は、特に前記巻き取りスプールからのリリース及び後退中に、適切な張力が前記光ファイバに加わることを保証する。
【００２１】
図２は、代表的な実施例による装置１０８の前面図である。しばしば、図１に関連して記載された代表的な実施例に関連して上に記載された様々な要素の様々な態様及び細部は、図２に関連して記載される代表的な実施例のものと共通である。これらの共通の態様及び細部は、ここに記載される代表的な実施例の説明を曖昧にすることを防ぐために繰り返されなくてもよい。
【００２２】
ドングル１０６は、装置１０８内に挿入される。ドングル１０６は、実例的にはバッテリ２１４であるＤＣ電源を有する。以下に更に完全に記載されるように、バッテリ２１４は、取り外され、より完全に充電されたバッテリと交換されるように構成される。更に、以下に更に完全に記載されるように、ドングル１０６は、実例的には、スキャン中に受信されたデータを受信及び送信し、並びに必要であれば他の信号を送信及び受信するように構成された送受信器２１６を有する。ドングル１０６は、（図１Ａに示されない）ヒートシンクを有してもよく、前記ヒートシンクは、前記バッテリと同様に取り外され、他のヒートシンクと交換されるように構成される。最終的に、ドングル１０６は、スキャン中に前記送受信器により受信されたデータを記憶するメモリ２１７を有してもよい。
【００２３】
光ファイバ１１０は、オプションとして、ドングル１０６に接続される。光ファイバ１１０は、スキャン中に受信された局所コイル（図２に示されない）からデータを受信し、前記データに基づいて臨床医にＭＲ画像を提供するコンピュータ（図示されない）に前記データを送信するように構成される。特に、光ファイバ１１０は、冗長性を提供するように他のデータ伝送方法（例えば、ドングル１０６内の送受信器）に加えて使用されることができる。
【００２４】
装置１０８は、第１のカルーセル２０１、及びオプションとして第２のカルーセル２０２を有する。
【００２５】
第１のカルーセル２０１は、複数のバッテリ２０３が配置される複数の充電サイト２０３'を有し、１つのバッテリ２０３が、充電サイト２０３'のそれぞれ１つの中に配置される。
【００２６】
第２のカルーセル２０２は、複数のヒートシンクが配置される複数のヒートシンクサイト２０４'を有し、１つのヒートシンク２０４が、ヒートシンクサイト２０４'のそれぞれ１つの中に配置される。
【００２７】
装置１０８は、バッテリチャージャ２０５をも有する。描かれるように、バッテリチャージャ２０５は、充電サイト２０３'の各々に選択的に接続され、以下に更に完全に記載されるように、バッテリ２０３を充電するように構成される。
【００２８】
装置１０８は、オプションとして、モニタ２０６を有する。モニタ２０６は、バッテリチャージャ２０５から又はバッテリ２０３の各々から直接的に充電状態情報を受信するように構成される。ここで更に完全に記載されるように、充電状態情報は、バッテリがドングル１０６に提供されることができるように、最大の充電を持つ複数のバッテリ２０３の１つを選択するのに使用されることができる。
【００２９】
図２において矢印により描かれるように、第１及び第２のカルーセル２０１、２０２は、一緒に又は独立して移動するように構成される。一般に、第１及び第２のカルーセル２０１、２０２は、実例的にはステッピングモータ又は比較的正確な運動及び停止を可能にする同様の装置であるアクチュエータ（図示されない）の作動により、それぞれバッテリ２０３及びヒートシンク２０４の１つの位置だけインクリメントするように構成される。第１のカルーセル２０１の移動は、バッテリ２１４をドングル１０６の外に移動し、空の充電サイト２０３'に移動する間に、ドングル１０６による受け取りに対する位置にバッテリ２０３をインクリメントする。このように、ドングル１０６からのバッテリ２１４の受け取りに対する１つの空の充電サイト２０３'が常に存在する。
【００３０】
最も単純な動作において、ドングル１０６が、図１に描かれるように装置１０８内に挿入される場合、バッテリ２１４は、空の充電サイト２０３'に配置され、第１のカルーセル２０１は、充電されたバッテリ２０３がドングル１０６とアラインされるように前進し、充電されたバッテリ２０３は、ドングル１０６内に挿入される。ドングル１０６の取り外しは、したがって、空の充電サイト２０３'を残す。
【００３１】
同様に、第２のカルーセル２０２の移動は、ヒートシンク２１５をドングル１０６の外に移動し、空のヒートシンクサイト２０４'内に移動する間に、ドングル１０６による受け取りに対する位置にヒートシンク２０４をインクリメントする。このように、ドングル１０６からのヒートシンク２１５の受け取りに対して１つの空のヒートシンクサイト２０４'が、常に存在する。
【００３２】
ドングル１０６が、装置１０８内に挿入される場合、ヒートシンク２１５は、空のヒートシンクサイト２０４'内に配置され、第２のカルーセル２０２は、ヒートシンク２０４がドングル１０６とアラインされるように前進し、ヒートシンク２０４は、ドングル１０６内に挿入される。ドングル１０６の取り外しは、したがって、空のヒートシンクサイト２０４'を残す。
【００３３】
図３Ａ及び３Ｂは、代表的な実施例によるＭＲＩシステム１００のそれぞれ側面図及び斜視図である。再び、図１−２に関連して記載された代表的な実施例に関連して上に記載された様々な要素の様々な態様及び細部は、図３に関連して記載される代表的な実施例のものと共通である。これらの共通の態様及び細部は、ここに記載される代表的な実施例の記載を曖昧にすることを防ぐために繰り返されなくてもよい。
【００３４】
図３Ａ−３Ｂに描かれるように、ドングル１０６は、図４に関連して更に完全に記載される形で、装置１０８から取り外され、局所コイル３０１に接続される。
【００３５】
光ファイバ１１０は、ドングル１０６に取り付けられ、光ファイバガイド１１３の位置に形成された開口又は隙間を通って、ボア１０２の近い開口を通って延在する。
【００３６】
台１１２及び患者１０５が、矢印により描かれる移動方向に沿って移動されると、コントローラ１１５は、アクチュエータ（図示されない）にコマンドを送信し、巻き取りスプール１１１に光ファイバ１１０を後退させ、光ファイバ１１０の所望の張力を維持させる。特に、前記アクチュエータは、光ファイバ１１０をよりリリースする（すなわち、台１１２が近端１０３に向けて移動する）ように逆時計回りに、及び光ファイバ１１０をより後退させる（すなわち、台１１２が遠端１０４に向けて移動する）ように時計回りに巻き取りスプール１１１を回転させるように選択される、サーボモータのような既知の電気モータであることができる。
【００３７】
歪ゲージ（図示されない）は、光ファイバ１１０上の歪のリアルタイムフィードバックをコントローラ１１５に提供するのに使用されることができる。コントローラ１１５は、次いで、所定の位置における光ファイバ１１０上の張力を所望のレベルに維持するように巻き取りスプール１１１に加えられるべき所要の力を計算することができる。更に、コントローラ１１５は、常に光ファイバ１１０上の張力を維持するように光ファイバ１１０のリリースの速度及び後退の速度に対して台１１２の移動を調整してもよい。このために、及び例として、電気モータ（図示されない）は、所望の速度で、及び所望の位置までボア１０２の内外に台１１２を移動するのに使用されることができる。プロセッサ１１６により行われた計算に基づいて、コントローラ１１５は、光ファイバ１１０上の張力を所望のレベルに維持する方向及び速度でそれぞれ移動及び回転するように台１１２に関連付けられた前記電気モータに、及び巻き取りスプール１１１に関連付けられた前記アクチュエータにコマンドを送信するように構成される。
【００３８】
上に記載されたように、プロセッサ１１６は、前記歪ゲージ及び台１１２に関連付けられた運動検出器からの入力に基づいてデータを取得及び処理するように構成される。メモリ１１７は、プロセッサ１１６により実行されるように構成された機械可読命令（プログラム）を記憶する。当業者により理解されるように、メモリ１１７は、台１１２の移動と協調して、巻き取りスプール１１１における光ファイバ１１０のリリース及び後退を制御するような、様々な方法を実行するようにプロセッサ１１６により実行されるように構成されたこれらの機械可読命令を記憶した非一時的コンピュータ可読媒体である。
【００３９】
プロセッサ１１６は、ここで論じられる様々な機能を実行するようにソフトウェア（例えば、マイクロコード）を使用してプログラムされてもよい１以上のマイクロプロセッサを有してもよい。特に、プロセッサ１１６は、１より多いプロセッサ又は処理コアを有してもよい。プロセッサ１１６は、例えば、マルチコアプロセッサであってもよい。プロセッサ１１６は、単一のコンピュータシステム（図示されない）内の又はＭＲＩシステム１００に関連付けられた複数のコンピュータシステム（図示されない）に分散された一群のプロセッサを有してもよい。この記載が続行すると理解されるように、多くのプログラムが、同じ計算装置内であってもよい又は複数の計算装置にわたって分散されてもよいプロセッサ１１６により実行される機械可読命令を持つ。
【００４０】
本開示の様々な実施例においてプロセッサ１１６として採用されうるコンポーネントの例は、従来のマイクロプロセッサ、マイクロ制御ユニット、特定用途向け集積回路（ＡＳＩＣ）及びフィールドプログラマブルゲートアレイ（ＦＰＧＡ）を含むが、これらに限定されない。
【００４１】
メモリ１１７は、プロセッサ１１６に対して有用なソフトウェアを記憶するように構成され、スキャン中に患者１０５の移動中に集められた様々なタイプのデータを記憶するように構成されてもよい。
【００４２】
更に、メモリ１１７は、巻き取りスプール１１１及びオプションとして台１１２を制御するようにプロセッサ１１６により実行されるように構成された機械可読命令を記憶する。これらの命令（プログラム）は、メモリ１１７において符号化され、プロセッサ１１６により実行される場合に、ここで論じられた機能の少なくとも一部を実行する。（用語「プログラム」又は「コンピュータプログラム」は、ここでは、プロセッサ１１６をプログラムするのに採用されることができる任意のタイプのコンピュータコード（例えば、ソフトウェア又はマイクロコード）を指す一般的な意味で使用される。）例えば、上及び下に記載されるように、メモリ１１７に記憶された機械可読命令は、光ファイバ１１０が弛まない又は他の形でスキャン中に患者１０５の運動と干渉しないことを保証するように十分な張力で維持されることを保証するようにスキャン中に巻き取りスプール１１１及び台１１２を制御するようにプロセッサ１１６により実行されるように構成される。
【００４３】
メモリ１１７は、限定的ではないが、フロッピー（登録商標）ディスク、磁気ハードディスクドライブ、半導体ハードディスク、フラッシュメモリ、ＵＳＢサムドライブ、ランダムアクセスメモリ（ＲＡＭ）、読取専用メモリ（ＲＯＭ）、プログラム可能読取専用メモリ（ＰＲＯＭ）、電子プログラム可能読取専用メモリ（ＥＥＰＲＯＭ）、ユニバーサルシリアルバス（ＵＳＢ）ドライブ、フロッピー（登録商標）ディスク、コンパクトディスク（ＣＤ）、光学ディスク、磁気テープ、スマートカード、デジタル多用途ディスク（ＤＶＤ）、ＣＤ−ＲＯＭ、半導体ハードドライブ、光ディスク、光磁気ディスク、及び前記プロセッサのレジスタファイルを含む、不揮発性コンピュータメモリ、又は揮発性コンピュータメモリ、又は両方を有してもよい。光ディスクの例は、コンパクトディスク（ＣＤ）及びデジタル多用途ディスク（ＤＶＤ）、例えばＣＤ−ＲＯＭ、ＣＤ−ＲＷ、ＣＤ−Ｒ、ＤＶＤ−ＲＯＭ、ＤＶＤ−ＲＷ又はＤＶＤ−Ｒディスクを含む。様々な記憶媒体が、プロセッサ１１６内に固定されてもよく、又はここで論じられた本教示の様々な態様を実施するように、記憶された１以上のプログラムがプロセッサ１１６内にロードされることができるように転送可能であってもよい。
【００４４】
図４は、代表的な実施例による、接続されたドングル１０６を持つ局所コイル３０１の上面図である。
【００４５】
局所コイル３０１は、実例的には、受信器４１１からデータを受信し、メモリ４１２内の記憶から前記データをデジタル化するように構成された電子素子４１０を有する。電子素子４１０は、実例的には、患者１０３のＭＲスキャンに基づいて画像を構成する際の更なる使用に対して前記データをデジタル化する電気及び電子コンポーネントを有する。
【００４６】
核スピンにより局所コイル３０１のＲＦコイルにおいて誘導されたアナログ信号は、一般的に、低ノイズ増幅器で増幅され、例えば、局所コイル３０１内に設けられた１以上のアナログ・デジタル・コンバータ（Ａ／Ｄ）（図示されない）を使用してデジタル化される。例として、帯域通過デルタシグマＡ／Ｄが、この能力に対して使用されてもよい。特に、可変利得又は圧縮は、可能な信号及びノイズの全体的なダイナミックレンジをカバーするのに使用されてもよい。デジタル化されたデータは、典型的には、ほとんど又は実質的に全く損失なしで圧縮され、エラー補正のために符号化され、送信のためにシリアル変換される。
【００４７】
局所コイル３０１は、オプションとして、送信器４１３を有してもよい。特定の実施例において、送信器４１３は、ＲＦ送信器であり、前記患者スキャンからＭＲ画像を再構成するのに前記データが使用されるコンピュータ又は他の装置にメモリ４１２からの前記データを有用に送信する。代わりに、下に示されるように、データの送信は、局所コイル３０１に接続された光学的導波管（例えば光ファイバ１１０）に沿っていてもよい。この場合、送信器４１３は、光学的送信器を有する。
【００４８】
ドングル１０６は、バッテリ２１４、ヒートシンク２１５、及びオプションとして送受信器２１６、及びメモリ２１７を有する。
【００４９】
送受信器２１６は、別々の送信器及び受信器を有してもよい。代わりに、送受信器２１６は、受信器のみで置き換えられる。上で述べたように、患者１０５のスキャン中に取得されたデータは、ドングル１０６により受信され、メモリ２１７に記憶されてもよい。これらのデータは、送受信器２１６によりコンピュータ又は他の装置に送信され、患者スキャンからＭＲ画像を再構成するのに使用されうる。以下に記載される他の実施例において、メモリ２１７内のデータは、装置１０８にダウンロードされ、前記コンピュータ又は他の装置に送信されてもよい。更に他の実施例において、メモリ２１７は、前記ドングルから取り外し可能であり、他の使用に対して提供されてもよい。
【００５０】
メモリ２１７は、限定的ではないが、フロッピー（登録商標）ディスク、磁気ハードディスクドライブ、半導体ハードディスク、フラッシュメモリ、ＵＳＢサムドライブ、ランダムアクセスメモリ（ＲＡＭ）、読取専用メモリ（ＲＯＭ）、プログラム可能読取専用メモリ（ＰＲＯＭ）、電子プログラム可能読取専用メモリ（ＥＥＰＲＯＭ）、ユニバーサルシリアルバス（ＵＳＢ）ドライブ、フロッピー（登録商標）ディスク、コンパクトディスク（ＣＤ）、光学ディスク、磁気テープ、スマートカード、デジタル多用途ディスク（ＤＶＤ）、ＣＤ−ＲＯＭ、半導体ハードドライブ、光ディスク、光磁気ディスク、及び前記プロセッサのレジスタファイルを含む、不揮発性コンピュータメモリ、又は揮発性コンピュータメモリ、又は両方を有してもよい。光ディスクの例は、コンパクトディスク（ＣＤ）及びデジタル多用途ディスク（ＤＶＤ）、例えばＣＤ−ＲＯＭ、ＣＤ−ＲＷ、ＣＤ−Ｒ、ＤＶＤ−ＲＯＭ、ＤＶＤ−ＲＷ又はＤＶＤ−Ｒディスクを含む。
【００５１】
上に記載されたように、バッテリ２１４は、再充電可能であり、装置１０８内に挿入されるとバッテリ２１４が取り外され、装置１０８の前記バッテリチャージャにより再充電されうるようにドングル１０６内のポートに設けられる。この記載が続行するとより明らかになるように、代表的な実施例において、バッテリ２１４は、ドングル１０６において、バッテリ２１４の充電レベルより大きい充電レベルを持つバッテリにより置き換えられる。
【００５２】
バッテリ２１４は、局所コイル３０１にＤＣ電力を提供し、これにより、電源に対する接続の制約から前記局所コイルを解放する。上で暗示されたように、ケーブルを通る電源に対する接続を必要とする既知の局所コイルは、特に、扱いにくく、臨床医の仕事を妨げる。これに反して、前記バッテリは、ドングル１０６に不可欠であるので、このような臨床医に対する妨げは、存在しない。
【００５３】
バッテリ２１４は、局所コイル３０１により決定される充電／電力要件を持つ再充電可能バッテリである。既知の乾電池再充電可能バッテリ（例えばリチウムイオンバッテリ）が、考えられるのに対して、他の既知の再充電可能携帯可能ＤＣ電源が、本教示により考えられる。これらは、半流動体リチウムイオン燃料電池、ニッケル水素（ＮｉＭＨ）燃料電池、カリウムイオン燃料電池、及び水素燃料電池を含むが、これらに限定されない。
【００５４】
ドングル１０６は、ヒートシンク２１５をも有する。理解されることができるように、動作中に、放電しているバッテリ２１４は、熱を作ることができる。バッテリ２１４は、局所コイル３０１内に配置されるドングル１０６内にあるので、この熱は、患者１０５に接触することができ、患者に対して危険でなくとも、不快である可能性がある。このような場合に、バッテリ２１４からの熱を散逸させるヒートシンクを設けることは、有用である。特定の実施例において、ヒートシンク２１５は、相変化装置である。相変化装置は、材料に対する熱伝達中に相の変化を受ける相変化材料（ＰＣＭ）を有する。時々、高性能熱伝達材料と称される、これらの材料は、一般に、電子アプリケーションにおけるヒートシンクに使用され、当業者に周知である。代わりに、金属、金属合金及び特定のセラミック材料のような、比較的高い熱係数を持つ材料が、前記ヒートシンクに使用されてもよい。
【００５５】
バッテリ２１４のように、ヒートシンク２１５も、ポート内に設けられ、取り外され、装置１０８により格納され、新しいヒートシンクと置き換えられるように構成される。
【００５６】
ドングル１０６は、実例的には、局所コイル３０１のポート４２１内に挿入される。一度挿入されると、ドングル１０６は、ドングル１０６の入出力（Ｉ／Ｏ）回路１２０に電子的に接続される。Ｉ／Ｏ回路１２０は、接続される装置の要件に基づいて複雑さの点で異なる。例えば、ドングル１０６が、局所コイル３０１からデータを受信しないが、ＤＣ電力のみを提供するように構成される場合、前記Ｉ／Ｏ回路は、単純な電気接続のみを含むことができる。これに反して、ドングル１０６が、局所コイル３０１からデータを受信するように構成される場合、前記Ｉ／Ｏ回路は、間の通信を制御し、電子素子４１０への／からの入力及び出力信号又はデータを解釈するのに必要な論理を含むインタフェースとして動作するように構成されてもよい。Ｉ／Ｏ回路１２０は、前記スキャン中にＲＦデータを受信し、これを送受信器２１６に提供し、そこからデータを送信するように構成されてもよい。
【００５７】
図５は、代表的な実施例によるＭＲＩシステム１００の側面図である。再び、図１−４に関連して記載された代表的な実施例に関連して上に記載された様々な要素の様々な態様及び細部は、図５に関連して記載される代表的な実施例のものと共通である。これらの共通の態様及び細部は、ここに記載される代表的な実施例の記載を曖昧にすることを防ぐために繰り返されなくてもよい。
【００５８】
図５に描かれるように、台１１２及び患者１０５は、局所コイル３０１がボア１０２内の所望の位置に配置されるように、矢印により描かれる移動方向に沿って移動される。このように、図３に描かれた実施例と比較して、光ファイバ１１０の一部は、巻き取りスプール１１１内に後退されている。特に、前記台が近端１０３を通って遠端１０４に向けて、かつ描かれた位置までボア１０２内に移動されると、コントローラ１１５は、前記アクチュエータ（図示されない）にコマンドを送信し、巻き取りスプール１１１に光ファイバ１１０を後退させ、光ファイバ１１０において所望の張力を維持させる。
【００５９】
前に示されたように、コントローラ１１５は、所定の位置における光ファイバ１１０上の張力を所望のレベルに維持するようにサーボ又は他の電気モータにより巻き取りスプール１１１に加えられるべき所要の力を計算する。更に、コントローラ１１５は、常に光ファイバ１１０上の張力を維持するように光ファイバ１１０のリリース速度及び後退速度に対して台１１２の移動を調整してもよい。プロセッサ１１６によりなされた計算に基づいて、コントローラ１１５は、光ファイバ１１０上の張力を所望のレベルに維持する方向及び速度で、それぞれ、移動及び回転するように、台１１２に関連付けられた前記電気モータに、及び巻き取りスプール１１１に関連付けられた前記アクチュエータにコマンドを送信するように構成される。
【００６０】
最終的に、前記スキャンが完了した場合、台１１２は、近端１０３に向けて戻され、図１に描かれたような位置において静止する。再び、コントローラ１１５は、前記アクチュエータ（図示されない）にコマンドを送信し、巻き取りスプール１１１に光ファイバ１１０を後退させ、光ファイバ１１０上の所望の張力を維持させ、光ファイバ１１０上の張力を維持する速度で台１１２を移動するように台１１２に関連付けられた前記電気モータにコマンドを送信する。
【００６１】
本開示を考慮して、様々なコンポーネントが、様々な要素及び様々な構造で実施されることができることに注意する。更に、様々な要素、構造及びパラメータが、例としてのみ、且つ限定的な意味ではなく、含まれる。本開示を考慮して、当業者は、添付の請求項の範囲内にとどまりながら、自身のアプリケーション、必要とされる材料及びこれらのアプリケーションを実施する機器を決定するときに本教示を実施することができる。
【図１】
2019512314.tif 000003
【図２】
2019512314.tif 000004
【図３Ａ】
2019512314.tif 000005
【図３Ｂ】
2019512314.tif 000006
【図４】
2019512314.tif 000007
【図５】
2019512314.tif 000008
【国際調査報告】
2019512314.tif 000009
2019512314.tif 000010